(57)【要約】ユーザーの許可を得て家に入ってきて強盗などの犯罪者に突然変わる訪問者からインターネットを用いてユーザーを保護するための保安サービス提供方法の提供。本発明は、定められた時間間隔で繰り返し送受信される安全確認要請メッセージと安全確認メッセージに基づいて、ユーザーの安全状態を周期的に判断することにより、普通にユーザーの許可を得て家の中に入ってきて例えば強盗などの犯罪者に突然変わる訪問者からユーザーを保護することが可能な保安サービス方法を提供する。また、本発明に係る保安サービスの提供方法は、サーバーによって指定端末機に伝送される第１警報メッセージと第２警報メッセージに基づいて外部訪問者からユーザーを段階的に保護することができる。
2010527091.tif 000002
【特許請求の範囲】
【請求項１】
インターネットに接続されている保安サーバーから保安サービスを提供する方法であって、
（ａ）ユーザー端末機から伝送される映像データを受信して保存する段階と、
（ｂ）前記映像データを保存し始めた後、定められた時間間隔で安全確認要請メッセージをユーザー端末機に送信する段階と、
（ｃ）前記ユーザー端末機から前記送信されたそれぞれの安全確認要請メッセージに応答する安全確認メッセージを定められた時間内に受信したか否かを判断する段階と、
（ｄ）前記それぞれの安全確認要請メッセージに応答する安全確認メッセージを前記ユーザー端末機から受信しなかった場合、警報メッセージを予め指定された端末機またはサーバーに送信する段階と、を含んでなり、
前記ユーザー端末機から保安解除メッセージを受信するまで、前記映像データの保存と前記安全確認メッセージの送信を行い続ける、
ことを特徴とする、保安サービスの提供方法。
【請求項２】
前記（ｄ）段階は、
（ｄ１）前記各安全確認要請メッセージに応答する前記安全確認メッセージを受信しなかった場合、第１警報メッセージを指定された端末機に送信する段階と、
（ｄ２）前記第１警報メッセージの送信後、一定の時間内に前記ユーザー端末機から安全確認メッセージまたは保安解除メッセージを受信しなかった場合、前記ユーザーに出動してユーザーの異常有無を確認することを要求する第２警報メッセージを送信する段階と、
を含んでなることを特徴とする、請求項１に記載の保安サービスの提供方法。
【請求項３】
前記第１警報メッセージは、前記保安サーバーに接続して、前記保存された映像データを受信することが可能なワンタイムパスワードを含む、
ことを特徴とする、請求項２に記載の保安サービスの提供方法。
【請求項４】
前記（ｄ２）段階は、
前記第１警報メッセージの送信後、一定の時間内に前記ユーザー端末機から安全確認メッセージまたは保安解除メッセージを受信しなかった場合、ユーザーに出動する出動要員を検索する段階と、
前記検索した出動要員に、ユーザーの異常有無を確認することを要求する第２警報メッセージを送信する段階と、
前記送信した第２警報メッセージに応答する出動確認メッセージを前記出動要員から受信する段階と、
を含むことを特徴とする、請求項２に記載の保安サービスの提供方法。
【請求項５】
前記（ｄ２）段階は、
第１警報メッセージの送信後、一定の時間内に前記ユーザー端末機から安全確認メッセージまたは保安解除メッセージを受信しなかった場合、指定された出動サービスサーバーに、ユーザーの異常有無を確認することを要求する第２警報メッセージを送信する段階と、
前記送信した第２警報メッセージに応答する出動確認メッセージを前記出動サービスサーバーから受信する段階と、
を含むことを特徴とする、請求項２に記載の保安サービスの提供方法。
【請求項６】
前記保安サービスの提供方法は、
前記ユーザー端末機から安全確認メッセージを受信する前に前記映像データの受信が中断した場合、前記指定された端末機に第１警報メッセージを送信する段階をさらに含む、
ことを特徴とする、請求項２に記載の保安サービスの提供方法。
【請求項７】
前記保安サービスの提供方法は、
前記保安解除メッセージを受信した場合、前記保安サーバーのユーザーデータベースに、前記送受信された安全確認要請メッセージ、安全確認メッセージ、第１警報メッセージ、第２警報メッセージおよび保安解除メッセージに基づいて保安サービスの提供履歴をアップデートする段階をさらに含むことを特徴とする、請求項２に記載の保安サービスの提供方法。
【請求項８】
前記保安サービスの提供方法は、
入力されたユーザーの命令に従い、前記保存された映像データを制御する段階をさらに含むことを特徴とする、請求項２に記載の保安サービスの提供方法。 
【発明の詳細な説明】
【技術分野】
【０００１】
本発明は、インターネットを用いた保安サービス提供方法に係り、より詳しくは、ユーザーの許可を得て家に入ってきて強盗などの犯罪者に突然変わる訪問者からユーザーを保護するための、インターネットを用いた保安サービス提供方法に関する。
【背景技術】
【０００２】
図１は従来のインターネットを用いた保安システム（Ｓｅｃｕｒｉｔｙ Ｓｙｓｔｅｍ)の概略図である。従来の保安システムは、通信網を介してインターネットに接続されたユーザー端末機１と、ユーザー端末機１から伝送されたデータに基づいてユーザーの安全を確認し、必要な保安サービスを提供するための保安サーバー３と、ユーザー端末機１と保安サーバー３とを連結させるネットワーク１０とを含んでなる。ネットワーク１０は公衆電話通信網１１、インターネット通信網１２、移動通信網１３、および相異なる通信網を互いに連結するゲートウェイから構成され、ユーザー端末機１は端末機の種類に応じて相異なる通信網を介してインターネットに連結された保安サーバー３に接続するようになっている。ユーザー端末機１は、例えば家や事務室など、人が常住していない場合に保安サービスが必要な場所に設置される。また、ユーザー端末機１は、外部人の侵入を感知するためのセンサーと、センサーによって外部人の侵入を感知する場合、外部からの侵入者を撮影するためのカメラと、カメラによって撮影した外部侵入者の映像データを保安サーバー３に送信するための通信手段とを含む。外部人の侵入を感知するために、センサーとして赤外線感知センサーなどを使用してもよく、カメラに撮影される映像を分析して動きを感知し外部人の侵入を判断するようにしてもよい。保安サーバー３の管理者は、ユーザー端末機１から送信された映像データまたは侵入メッセージを確認し、ユーザーの安全を問い合わせるために、指定された第三者の端末機５に警報メッセージを送信し、或いは保安要員の出動サービスを提供する警備会社のサーバー８に警報メッセージを送信して出動要員９がユーザーの家６に出動するようにすることができる。
【０００３】
家で実際保安サービスが必要な場合には、家に誰もいないときに泥棒が入って物を盗むことを防止するための場合より、昼間に主婦または老弱者が家を守っているときに宅配サービスまたは郵便配達人を装い、許可を得て家の中に入ってきて突然に強盗などの犯罪者に変わることを防止するための場合である。ところが、図１に示したような従来の保安サービスを提供するシステムは、このような場合に効果的に対処することができないという問題点がある。なぜなら、ユーザーの許可を得て訪問者が家の中に入ってきた場合、通常、ユーザー端末機１は作動しないようになっており、もし作動をしても、訪問者が犯罪者に突然変わる場合にはこれに対処する適切な手段を提供していないためである。また、従来のインターネットを用いた保安システムは、家に端末機が設置された場合、ユーザーの家庭内の映像が警備会社のサーバーに伝送されるようになっており、プライバシーを侵害されるおそれがある。特に誤作動して警報が伝送されてきて保安サーバーの管理者が映像情報を確認する場合、家庭内のプライバシーを侵害されるおそれがある。
【発明の開示】
【発明が解決しようとする課題】
【０００４】
そこで、本発明の目的は、ユーザーの許可を得て家に入ってきて犯罪者に突然変わる訪問者からユーザーを効果的に保護することができる、インターネットを用いた保安サービス方法を提供することにある。
【０００５】
本発明の他の目的は、送信された家庭内の映像データを指定された人（閲覧が許容された人）が非常時にのみ閲覧し、出動警備サービスが必要な場合に出動を要請し得るようにしてユーザーのプライバシーを保護することができる、保安サービス方法を提供することにある。
【課題を解決するための手段】
【０００６】
上記目的を達成するために、本発明のある観点によれば、インターネットに接続された保安サーバーでユーザー端末機からの映像データを受信して保存する段階と、映像データを保存し始めた後、定められた時間間隔で安全確認要請メッセージをユーザー端末機に送信する段階と、ユーザー端末機からそれぞれの安全確認要請メッセージに応答する安全確認メッセージを定められた時間内に受信したか否かを判断する段階と、それぞれの安全確認要請メッセージに応答する安全確認メッセージをユーザー端末機から受信しなかった場合、警報メッセージを予め指定された端末機またはサーバーに送信する段階と、を含んでなり、映像データの保存と安全確認メッセージの送信は、ユーザー端末機から保安解除メッセージを受信するまで行い続けることを特徴とする、インターネットを用いた保安サービス提供方法が提供される。
【０００７】
前記警報メッセージを、予め指定された端末機またはサーバーに送信する段階は、それぞれの安全確認要請メッセージに応答する安全確認メッセージをユーザー端末機から定められた時間内に受信しなかった場合に、１次的に第１警報メッセージを指定された端末機に送信する段階と、第１警報メッセージの送信後、一定の時間内にユーザー端末機から安全確認メッセージまたは保安解除メッセージを受信しなかった場合に、ユーザーの所在地に出動してユーザーの異常有無を確認することを要求する第２警報メッセージを送信する段階と、を含むことが好ましい。また、前記第１警報メッセージは、前記保安サーバーに接続し、前記保存された映像データを受信することが可能なワンタイムパスワードを含むことが好ましい。
【０００８】
本発明によれば、保安サーバーは、ユーザー端末機から送信される映像データを保存し続けながら、保安サーバーとユーザーの端末機との間で所定の時間間隔で繰り返し送受信される安全確認要請メッセージと安全確認メッセージに基づいてユーザーの安全状態を周期的に判断する。また、保安サーバーは、ユーザーの端末機から安全確認メッセージを受信しなかった場合、指定された端末機に警報メッセージを伝送する。警報メッセージを受信した指定端末機のユーザーは、警報メッセージを受信した場合、安全を確認するための措置を取ることができる。また、警報メッセージを受信した指定端末機のユーザーは、インターネットを介して、サーバーに保存された映像の伝送を受け、ユーザーの保安状態を確認することができる。したがって、家に許可を得て入ってきた訪問者が犯罪者に突然変わった場合、指定された端末機のユーザーは直ちに安全を確認することができる。また、警報メッセージを受信した指定端末機のユーザーのみが、保安サーバーに保存された映像を閲覧することができるので、プライバシーを保護することができる。
【発明の効果】
【０００９】
本発明は、保安サーバーとユーザー端末機との間で所定の時間間隔で繰り返し送受信される安全確認要請メッセージと安全確認メッセージに基づいてユーザーの安全状態を周期的に確認し、安全確認メッセージを受信しなかった場合、指定された第三者に警報メッセージを提供して、普通に家の中に入ってきた後に突然変わる外部訪問者からユーザーを保護することができる。また、本発明によれば、指定された第三者の端末機に送信するための第１警報メッセージと、出動サービスを提供する警備会社の出動サービスサーバーに送信するための第２警報メッセージとを段階的に伝送するようにして、ユーザーの誤りによる誤警報メッセージの伝送による出動を予め防止することができる。
【００１０】
また、本発明によれば、保安サーバーに保存された家庭内の映像データを限られた少数の人にのみ閲覧できるようにして、プライバシーを最大限保護するとともに保安サービスを提供することができる。
【発明を実施するための最良の形態】
【００１１】
以下に添付図面を参照しながら、本発明に係る保安方法をより具体的に説明する。
【００１２】
図２は本発明の一実施例に係る保安サービス提供システムを概略的に示している。図２を参照すると、本発明に係る保安サービス提供システムは、ユーザー端末機２０と、ユーザー端末機２０から受信した映像データを保存し、安全確認要請メッセージおよび安全確認メッセージに基づいて端末機２０のユーザーに保安サービスを提供するための保安サーバー５０と、ユーザー端末機２０と保安サーバー５０とを連結させる有線／無線ネットワーク３０とを含む。
【００１３】
一方、有線／無線ネットワーク３０には、ユーザーによって指定された第三者の移動端末機４０と、パーソナルコンピュータ４１と、出動要員６１をユーザー所在の場所に出動させてユーザーに出動サービスを提供するための出動サービス会社のサーバー６０とが連結されている。ユーザー、指定された端末機のユーザーである第三者、および保安サーバー５０の運営者は、移動通信端末機４０またはパーソナルコンピュータ４１、５１を介して保安サーバー５０に接続し、限られた範囲内で保安サーバー５０に保存された映像データを受信して視聴し或いは保安サーバー５０に保存された保安データの履歴を管理することができる。
【００１４】
ユーザー端末機２０は、外部からの訪問者を感知するためのセンサー（図示せず）と、設置された室内の映像を撮影するためのカメラと、有線／無線ネットワーク３０を介して、撮影された映像データまたは入力されたメッセージを保安サーバー５０に送信し、保安サーバー５０から伝送されるメッセージを受信する通信部と、保安サーバー５０から受信したメッセージをユーザーに知らせ或いはユーザーの命令の入力を受けるためのユーザーインタフェースとを備える。外部からの訪問者を感知する別途のセンサーを備えず、カメラに撮影された映像をイメージプロセシングして動きを感知した場合、ユーザー端末機２０が保安サーバーとの通信を始めるようにすることもできる。前記ユーザー端末機２０は、撮影された映像データを暗号化して保安サーバー５０に送信するようにすることが好ましい。
【００１５】
本実施例において、有／無線ネットワーク３０は、移動通信網３１、インターネット通信網３２および公衆電話通信網３３を備える統合ネットワークである。ユーザー端末機２０は、移動通信網３１とインターネット通信網３２を介して保安サーバー５０に接続され、或いは公衆電話通信網３３とインターネット通信網３２を介して保安サーバー５０に接続される。または、ユーザー端末機２０は、インターネット通信網３２を介して直接保安サーバー５０に接続される。
【００１６】
図３は図２に示したシステムで本発明に係る保安サービスの提供方法が行われる手続きの一実施例を説明するためのフローチャートである。図３を参照すると、ユーザー端末機２０は、外部からの訪問者を感知する場合（センサーを使用しない場合には、ユーザーインタフェースを介してサーバーとの通信を始めるように命令を受け、カメラが連続的に室内を撮影するようになっている場合には、イメージプロセシングによって動きを感知したときにサーバーと通信するようにすることもできる。また、イメージプロセシングによる場合には、カメラが動きを追跡して撮影するようにすることもできる）、室内を撮影し、撮影された映像データを保安サーバー５０に送信する（Ｓ１）。保安サーバー５０は、ユーザー端末機２０から伝送される映像データを受信して保存しながら、定められた時間間隔でユーザー端末機２０にユーザーの安全を確認するための安全確認要請メッセージを送信する（Ｓ２）。
【００１７】
安全確認要請メッセージを受信したユーザー端末機２０は、ユーザーインタフェースを介してユーザーに安全確認要請メッセージの受信を知らせ、ユーザーからインタフェースを介して安全確認要請メッセージに応答する安全確認信号の入力を受け、ユーザーの安全を確認するメッセージを生成して保安サーバー５０に送信する（Ｓ３）。安全確認信号は、ユーザーによって予め定義されてサーバーに保存された秘密鍵であって、ユーザーのみが知っている暗号である。ユーザー端末機２０は、安全確認要請メッセージを受信すると、インタフェースの表示装置に安全確認メッセージを入力すべきことを表示し、或いはスピーカから特定の音を出すようにして、安全確認メッセージを入力すべきことをユーザーに知らせるようになっている。
【００１８】
保安サーバー５０は、安全確認要請メッセージを送信した後、定められた時間以内にユーザー端末機２０から安全確認メッセージを受信したかを判断し、安全確認メッセージを受信した場合、安全確認要請メッセージを送信するＳ２段階に復帰する。保安サーバー５０が定められた時間以内にユーザー端末機２０から安全確認メッセージを受信しなかった場合、ユーザーによって予め指定された第三者の端末機４０に、ユーザーの安全を確認することを要請する第１警報メッセージを送信する（Ｓ４）。
【００１９】
第１警報メッセージには、保安サーバー５０にユーザー端末機２０から伝送されて保存された映像データを受信するためのワンタイムパスワード(ｏｎｅ ｔｉｍｅ ｐａｓｓｗｏｒｄ)が含まれている。第１警報メッセージを受信した第三者は、ユーザーに直ちに電話をかけてユーザーの安全を確認し、安全確認メッセージを入力するように促し（Ｓ６）、或いは第１警報メッセージに含まれているワンタイムパスワードを用いて保安サーバー５０にログインして、保存された映像データを閲覧し（Ｓ５）、ユーザーの安全状態を確認した後、ユーザーに連絡を取って安全確認メッセージを入力するように促すことができる（Ｓ６）。図示してはいないが、第三者が映像データを閲覧し、ユーザーが危険な状態と確認した場合、警察官または保安出動サービス会社に直ちに連絡し、或いは保安サーバー５０に出動サービスを提供するように要請してもよい。第三者の連絡によって安全確認メッセージの入力を促されたユーザーがインタフェースを介して秘密鍵を入力すると、ユーザー端末機２０は、入力された秘密鍵に応じた安全確認メッセージを生成して保安サーバー５０に送信する（Ｓ７）。
【００２０】
保安サーバー５０は、第１警報メッセージを送信した後、定められた時間以内にユーザー端末機２０から安全確認メッセージを受信したか否かを判断し、安全確認メッセージを受信した場合にＳ２段階に復帰する。一方、ユーザー端末機２０から安全確認メッセージを受信しなかった場合、出動サービスサーバー６０に、出動要員の出動を要請する第２警報メッセージを送信する（Ｓ８）。
【００２１】
図４は本発明に係る保安サービスの提供方法における、保安サーバーで行われる手続きの一実施例を説明するフローチャートである。図４を参照すると、保安サーバー５０は、ユーザー端末機２０から送信される映像データを受信して保存し（Ｓ１０）、映像データを保存し始めた後定められた時間が経過してから、安全確認要請メッセージをユーザー端末機２０に送信する（Ｓ２０）。次に、ユーザー端末機から送信されたそれぞれの安全確認要請メッセージに応答する安全確認メッセージを定められた時間内に受信したか否かを判断し（Ｓ３０）、安全確認メッセージを受信しなかった場合、ユーザー端末機２０から保安解除メッセージを受信したか否かを判断する（Ｓ４０）。ユーザー端末機２０から安全確認メッセージと保安解除メッセージを受信しなかった場合、ユーザー指定の第三者の端末機４０または出動要員６１または出動サービスサーバー６０に、ユーザーの異常有無の確認を要請するメッセージを送信する（Ｓ５０）。ユーザー端末機２０から安全確認メッセージを受信した場合には最初の段階に戻る。ユーザーの異常有無の確認を要請するメッセージとしては、移動通信網３１のＳＭＳサーバーまたはＭＭＳサーバーを介して第三者または出動要員の所持する携帯用端末機４０、６１に送信される文字メッセージまたはマルチメディアメッセージを使用することができる。また、ユーザーの異常有無の確認を要請するメッセージとして、インターネット通信網３２のＷｅｂサーバーを介して送信され、第三者のパーソナルコンピュータ４１を用いて確認することが可能な電子郵便を使用することもできる。保安サーバー５０は、ユーザー端末機２０から保安解除メッセージを受信するまで上述の手続きを続けて繰り返し行う。
【００２２】
一方、ユーザー端末機２０から保安解除メッセージを受信した場合、ユーザーの保安履歴をユーザーデータベースにアップデートし、終了する（Ｓ６０）。ユーザーに対する保安履歴は、１）ユーザー端末機２０と保安サーバー５０の接続開始および終了時間、２）安全確認要請メッセージおよび安全確認メッセージの送受信時間、３）第三者の端末機４０、出動サービスサーバー６０、出動要員の端末機６１に送信された警報メッセージの送信時間、４）ユーザー端末機２０から受信した映像データのデータ情報などを含む。
【００２３】
図５は本発明に係る保安サービスの提供方法における、映像データを受信して保存する段階をより具体的に説明するフローチャートである。図５を参照すると、ユーザー端末機２０から保存要請メッセージを受信し（Ｓ１１）、受信した保存要請メッセージから、ユーザーを識別することが可能なユーザーＩＤを抽出する（Ｓ１２）。ユーザーＩＤは、ユーザーが保安サーバー５０に会員加入したときにユーザー端末機２０に割り当てられたシリアル番号、ユーザー端末機２０の電子識別番号（Ｅｌｅｃｔｒｏｎｉｃ Ｓｅｒｉａｌ Ｎｕｍｂｅｒ、ＥＳＮ）などが使用でき、本発明が適用される分野によって異なる種類のユーザーＩＤが使用できる。抽出したユーザーＩＤに基づいて、保安サーバー５０はユーザーの映像データを保存するための初期化を行う（Ｓ１３）。保安サーバー５０は、内部のデータベースからユーザーに対するデータベースを抽出し、抽出したユーザーデータベースに基づいて受信した映像データを保存するための保存空間を割り当てる。初期化が完成すると、ユーザー端末機２０に映像データを送信しなさいという指令の保存待機メッセージを送信する（Ｓ１４）。保安サーバー５０は、送信された映像待機メッセージの応答としてユーザー端末機２０から撮影された映像データを受信し（Ｓ１５）、受信した映像データを割り当てられた保存空間に保存する（Ｓ１６）。
【００２４】
図６は本発明に係る保安サービスの提供方法における、警報メッセージを送信する段階をより具体的に説明するフローチャートである。図６を参照すると、ユーザー端末機２０から安全確認メッセージおよび保安解除メッセージを受信しなかった場合、ユーザー指定の第三者の端末機４０に、ユーザーの異常有無に対する確認を要請するための第１警報メッセージを送信する（Ｓ５１）。送信した第１警報メッセージに対して一定の時間内にユーザー端末機２０から安全確認メッセージを受信した場合（Ｓ５２）、前述したＳ１０段階に戻る。送信した第１警報メッセージに対して定められた時間内にユーザー端末機２０から安全確認メッセージの代わりに保安解除メッセージを受信した場合（Ｓ５３）、上述したＳ６０段階に戻る。
【００２５】
一方、送信した第１警報メッセージに応答する安全確認メッセージまたは保安解除メッセージを、定められた時間以内にユーザー端末機２０から受信しなかった場合、ユーザーの所在地に直接出動してユーザーの安全有無を確認する出動要員を選択し（Ｓ５４）、選択した出動要員にユーザーの所在地へ出動するように指令するための第２警報メッセージを送信する（Ｓ５５）。第２警報メッセージに応答する出動確認メッセージを出動要員から受信したかを判断する（Ｓ５６）。出動確認メッセージを受信しなかった場合、選択した出動要員に周期的に第２警報メッセージを送信する。
【００２６】
図７は本発明に係る保安サービスの提供方法における、出動要員を選択する段階をより具体的に選択するフローチャートである。図７を参照すると、ユーザー端末機２０から安全確認メッセージおよび保安解除メッセージを受信しなかった場合、出動要員の位置情報に基づいて、ユーザーに近接した多数の出動要員を検索し（Ｓ６１）、検索した多数の出動要員に出動可否を問い合わせるための出動要請メッセージを送信する（Ｓ６２）。送信した出動要請メッセージに応答する出動可否を知らせる出動可能メッセージを出動要員から受信し（Ｓ６３）、受信した出動可能メッセージに応じて出動要員を選択する（Ｓ６４）。好ましくは、受信した出動メッセージに応じて１名の出動要員または多数の出動要員が選択できる。
【００２７】
図８は本発明に係る保安サービスの提供方法における、警報メッセージを送信する段階の他の実施例を説明するフローチャートである。図８を参照すると、ユーザー端末機２０から安全確認メッセージおよび保安解除メッセージを受信しなかった場合、ユーザー指定の第三者の端末機４０にユーザーの異常有無に対する確認を要請するための第１警報メッセージを送信する（Ｓ７１）。送信した第１警報メッセージに対して定められた時間内にユーザー端末機２０から安全確認メッセージを受信した場合（Ｓ７２）、前述したＳ１０段階に戻る。送信した第１警報メッセージに対して定められた時間内にユーザー端末機２０から安全確認メッセージの代わりに保安解除メッセージを受信した場合（Ｓ７３）、前述したＳ６０段階に戻る。一方、送信した第１警報メッセージに応答する安全確認メッセージまたは保安解除メッセージをユーザー端末機２０から定められた時間内に受信しなかった場合、ユーザーの所在地に直接出動してユーザーの異常有無を確認するように指令するための第２警報メッセージを出動サービスサーバー６０に送信する（Ｓ７４）。第２警報メッセージに応答する出動確認メッセージを出動サービスサーバー６０から受信したかを判断する（Ｓ７５）。出動確認メッセージを受信しなかった場合、周期的に出動サービスサーバー６０に第２警報メッセージを送信する。
【００２８】
図９は本発明に係る保安サービスの提供方法における、保安サーバーに保存された映像データの管理方法を説明するフローチャートである。図９を参照すると、ユーザー、ワンタイムパスワードを受け取った指定された第三者、出動要員、および出動サービスサーバーの運営者は、映像データの管理または映像データの閲覧を行おうとする場合、パスワードを入力し、保安サーバー５０にログインする（Ｓ８１）。保安サーバー５０はログインの際に入力されたパスワードがユーザーパスワードかワンタイムパスワードかを判断する（Ｓ８２）。ユーザーパスワードが入力される場合、保安サーバー５０は、入力されたユーザーの命令に従い、保存されたユーザーデータベースまたは保存された映像データを送信、削除、修正する（Ｓ８３、Ｓ８４）。一方、指定された第三者、出動要員、出動サービスサーバーの運営者からワンタイムパスワードが入力される場合、入力されたワンタイムパスワードに対して閲覧が許容された映像データを検索し（Ｓ８５）、検索した映像データを指定された第三者、出動要員、出動サービスサーバーの運営者の端末機に送信する（Ｓ８６）。ワンタイムパスワードを、暗号化されて保存されている映像データの復号化に用いられる暗号キーとして使用することが好ましい。好ましくは、ワンタイムパスワードを入力してログインする場合、ユーザーの私生活を保護するために映像データの送信回数、映像データの送信分量を制限することができる。
【００２９】
上述した本発明の実施例は、コンピュータで実行できるプログラムによって作成可能であり、コンピュータ可読の記録媒体を用いて前記プログラムを動作させる汎用デジタルコンピュータで実現できる。前記コンピュータ可読の記録媒体は、磁気記憶媒体（例えば、ＲＯＭ、フレキシブルディスク、ハードディスクなど）、光学的読取媒体（例えば、ＣＤＲＯＭ、ＤＶＤなど）およびキャリアウェーブ（例えば、インターネットを介しての伝送）などの記憶媒体を含む。
【００３０】
以上説明および図示された本発明の実施例は、本発明の技術的思想を限定するものと解釈されてはならない。本発明の保護範囲は請求の範囲に記載された事項によってのみ限定される。本発明の技術分野における通常の知識を有する者であれば、本発明の技術的思想を様々な形で改良・変更することが可能である。したがって、このような改良および変更は、通常の知識を有する者に自明なものである限りは、本発明の保護範囲に属するであろう。
【図面の簡単な説明】
【００３１】
【図１】従来のインターネットを用いた保安サービスシステムの概略図である。
【図２】本発明に係る保安サービスを提供するためのシステムの概略図である。
【図３】図２に示したシステムで本発明に係る保安サービスの提供方法が行われる手続きの一実施例を説明するためのフローチャートである。
【図４】本発明に係る保安サービスの提供方法における、保安サーバーで行われる手続きの一実施例を説明するフローチャートである。
【図５】本発明に係る保安サービスの提供方法における、映像データを受信して保存する段階をより具体的に説明するフローチャートである。
【図６】本発明に係る保安サービスの提供方法における、警報メッセージを送信する段階をより具体的に説明するフローチャートである。
【図７】本発明に係る保安サービスの提供方法における、出動要員を選択する段階をより具体的に説明するフローチャートである。
【図８】本発明に係る保安サービスの提供方法における、警報メッセージを送信する段階の他の実施例を説明するフローチャートである。
【図９】本発明に係る保安サービスの提供方法における、保安サーバーに保存された映像データの管理方法を説明するフローチャートである。
【符号の説明】
【００３２】
１，２０    ユーザー端末機
３，５０    保安サーバー
１０，３０    ネットワーク
５，４０    指定された端末機
８，６０    出動サービスサーバー
９，６１    出動要員
【図１】
2010527091.tif 000003
【図２】
2010527091.tif 000004
【図３】
2010527091.tif 000005
【図４】
2010527091.tif 000006
【図５】
2010527091.tif 000007
【図６】
2010527091.tif 000008
【図７】
2010527091.tif 000009
【図８】
2010527091.tif 000010
【図９】
2010527091.tif 000011
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
インターネットに接続されている保安サーバーから保安サービスを提供する方法であって、
前記保安サーバーがユーザー端末機から伝送される映像データを受信して保存する段階と、
前記保安サーバーが、映像データーを保存し始めた後、定められた時間間隔で安全確認要請メッセージをユーザー端末機に送信する段階と、
前記保安サーバーが、前記ユーザー端末機から前記安全確認要請メッセージに応答する安全確認メッセージまたは保安解除メッセージを定められた時間内に受信したか否かを判断する段階と、
前記ユーザー端末機から前記安全確認メッセージに応答する安全確認メッセージまたは保安解除メッセージを定められた時間内に受信しなかった場合、前記保安サーバーが第１警報メッセージをユーザーにより予め指定された端末機に伝送する段階を含んでなることを特徴とする、保安サービスの提供方法。
【請求項２】
前記第１警報メッセージは、
前記保安サーバーに接続して、前記指定保存された映像データーを閲覧するワンタイムパスワードを含むことを特徴とする、請求項１に記載の保安サービスの提供方法。
【請求項３】
前記第１警報メッセージの送信後、一定の時間内に前記ユーザー端末機から安全確認メッセージまたは保安解除メッセージを受信しなかった場合、前記保安サーバーが出動サービスサーバーまたは出動要員の端末機に第２警報メッセージを送信する段階をさらに含んでなることを特徴とする、請求項１に記載の保安サービスの提供方法。
【請求項４】
前記保安サーバーが、前記出動要員の端末機に第２警報メッセージを伝送する場合、前記ユーザー端末機と近接した出動要員を検索し、前記検索した出動要員の端末機に前記第２警報メッセージを伝送し、
前記保安サーバーが、前記出動要員の端末機から前記第２警報メッセージに応答する出動確認メッセージを受信する段階をさらに含んでなることを特徴とする、請求項３に記載の保安サービスの提供方法。
【請求項５】
前記保安サーバーが、前記出動サービスサーバーに前記第２警報メッセージを伝送する場合、
前記保安サーバーが、前記出動サービスサーバーから前記第２警報メッセージに応答する出動確認メッセージを受信する段階をさらに含んでなることを特徴とする、請求項３に記載の保安サービスの提供方法。
【請求項６】
前記保安サービス解除メッセージを受信した場合、
前記保安サーバーが前記安全確認要請メッセージ、安全確認メッセージ、第１警報メッセージ、第２警報メッセージおよび保安解除メッセージに基づいて、ユーザーデーターベースに保安サービスの提供履歴をアップデートする段階をさらに含むことを特徴とする、請求項３に記載の保安サービスの提供方法。
【請求項７】
前記ユーザー端末機から入力されたユーザーの命令に従い、
前記保安サーバーに保存された映像データを送信、削除または修正する段階をさらに含むことを特徴とする、請求項１に記載の保安サービスの提供方法。
【請求項８】
インターネットに連結された保安サーバーから保安サービスを提供する方法であって、
前記保安サーバーが、ユーザー端末機から伝送される映像データーを受信して保存する段階と、
前記保安サーバーが、前記映像データーを保存し始めた後、定められた時間間隔で安全確認要請メッセージを前記ユーザー端末機に送信する段階と、
前記保安サーバーが、ユーザー端末機から前記安全確認要請メッセージまたは保安解除メッセージを受信したかを判断する段階と、
前記ユーザー端末機から前記安全確認要請メッセージに応答する安全確認メッセージまたは保安解除を定められた時間内に受信しなかった場合、前記保安サーバーが第１警報メッセージをユーザーにより事前に指定された端末機、出動サービスサーバーまたは出動要員の端末機へ伝送する段階と、
前記第１警報メッセージの送信後、一定の時間内に前記ユーザー端末機から安全確認メッセージまたは保安解除メッセージを受信しなかった場合、前記保安サーバーが前記出動サービスサーバーまたは前記出動要員の端末機に第２警報メッセージを送信する段階と、を含むことを特徴とする保安サービスの提供方法。
【手続補正２】
【補正対象書類名】明細書
【補正対象項目名】０００２
【補正方法】変更
【補正の内容】
【０００２】
図１は従来のインターネットを用いた保安システム（Ｓｅｃｕｒｉｔｙ Ｓｙｓｔｅｍ)の概略図である。従来の保安システムは、通信網を介してインターネットに接続されたユーザー端末機１と、ユーザー端末機１から伝送されたデータに基づいてユーザーの安全を確認し、必要な保安サービスを提供するための保安サーバー３と、ユーザー端末機１と保安サーバー３とを連結させるネットワーク１０とを含んでなる。ネットワーク１０は公衆電話通信網１１、インターネット通信網１２、移動通信網１３、および相異なる通信網を互いに連結するゲートウェイから構成され、ユーザー端末機１は端末機の種類に応じて相異なる通信網を介してインターネットに連結された保安サーバー３に接続するようになっている。ユーザー端末機１は、例えば家や事務室など、人が常住していない場合に保安サービスが必要な場所に設置される。また、ユーザー端末機１は、外部人の侵入を感知するためのセンサーと、センサーによって外部人の侵入を感知する場合、外部からの侵入者を撮影するためのカメラと、カメラによって撮影した外部侵入者の映像データを保安サーバー３に送信するための通信手段とを含む。外部人の侵入を感知するために、センサーとして赤外線感知センサーなどを使用してもよく、カメラに撮影される映像を分析して動きを感知し外部人の侵入を判断するようにしてもよい。保安サーバー３の管理者は、ユーザー端末機１から送信された映像データまたは侵入メッセージを確認し、ユーザーの安全を問い合わせるために、指定された第三者の端末機５に警報メッセージを送信し、或いは保安要員の出動サービスを提供する警備会社のサーバー８に警報メッセージを送信して出動要員９がユーザーの家に出動するようにすることができる。
【手続補正３】
【補正対象書類名】明細書
【補正対象項目名】０００６
【補正方法】変更
【補正の内容】
【０００６】
上記目的を達成するために、本発明のある観点によれば、インターネットに連結されている保安サーバーから保安サービスを提供する方法として、前記保安サーバーがユーザー端末機から伝送する映像データーを受信し保存する段階と、前記保安サーバーが前記映像データーを保存し始めた後定められた時間が経過してから、安全確認要請メッセージを前記ユーザー端末機に伝送する段階と、前記保安サーバーが前記ユーザー端末機から前記安全確認メッセージに応答する安全確認メッセージまたは保安解除メッセージを定められた時間内に受信したか否かを判断する段階と、前記ユーザー端末機から前記安全確認メッセージに応答する安全確認メッセージまたは保安解除メッセージを定められた時間内に受信しなかった場合、前記保安サーバーが第１警報メッセージをユーザーにより予め指定された端末機に伝送する段階を含んでなることを特徴とする。
または、本発明によるインターネットを利用した保安サービス提供方法は、インターネットに連結されている保安サーバーから保安サービスを提供する方法として、前記保安サーバーがユーザー端末機から伝送される映像データーを受信し保存する段階と、前記保安サーバーが前記映像データーを保存し始めた後定められた時間に安全確認要請メッセージを前記ユーザー端末機に伝送する段階と、前記保安サーバーが前記ユーザー端末機から前記安全確認メッセージに応答して、定められた時間内に安全確認メッセージまたは保安解除メッセージを受信したか否かを判断する段階と、前記ユーザー端末機から前記安全確認メッセージに応答する安全確認メッセージまたは保安解除メッセージを定められた時間内に受信しなかった場合、前記保安サーバーが第１警報メッセージをユーザーにより事前に指定された端末機、出動サービスサーバーまたは出動要員の端末機へ伝送する段階と、前記第１警報メッセージの送信後、一定の時間内に前記ユーザー端末機から安全確認メッセージまたは保安解除メッセージを受信しなかった場合、前記保安サーバーが前記出動サービスサーバーまたは前記出動要員の端末機に第２警報メッセージを送信する段階とを含むことを特徴とする。
【手続補正４】
【補正対象書類名】明細書
【補正対象項目名】０００７
【補正方法】変更
【補正の内容】
【０００７】
それぞれの安全確認要請メッセージに応答する安全確認メッセージをユーザー端末機から定められた時間内に受信しなかった場合に、１次的に第１警報メッセージを指定された端末機、出動サービスサーバーまたは出動要員の端末機に送信し、第１警報メッセージの送信後、一定の時間内にユーザー端末機から安全確認メッセージまたは保安解除メッセージを受信しなかった場合、ユーザーの所在地に出動してユーザーの異常有無を確認要求する第２警報メッセージを送信する段階と、を含むことが好ましい。また、前記第１警報メッセージは、前記保安サーバーに接続し、前記保存された映像データを受信することが可能なワンタイムパスワードを含むことを好ましい。
【手続補正５】
【補正対象書類名】明細書
【補正対象項目名】００１５
【補正方法】変更
【補正の内容】
【００１５】
本実施例において、有／無線ネットワーク３０は、移動通信網３１、インターネット通信網３２および公衆電話通信網３３を備える統合ネットワークである。ユーザー端末機２０が移動通信端末機である場合、移動通信網３１とインターネット通信網３２を介して保安サーバー５０に接続され、ユーザー端末機２０が有線電話である場合、公衆電話通信網３３とインターネット通信網を介して保安サーバー５０に接続される。ここで、移動通信網３１は無線データ通信網から音声通信網とは区別される。または、ユーザー端末機２０は、無線ネットワークを通じインターネット通信網３２と接続し、さらにインターネット通信網３２を介して保安サーバー５０に接続される。前記の全ての場合に対してユーザー端末機２０と保安サーバー５０がインターネットにより連結されたものとすることができる。
【手続補正６】
【補正対象書類名】明細書
【補正対象項目名】００１９
【補正方法】変更
【補正の内容】
【００１９】
第１警報メッセージには、保安サーバー５０にユーザー端末機２０から伝送されて保安サーバー５０に保存された映像データを受信するためのワンタイムパスワード(ｏｎｅ ｔｉｍｅ ｐａｓｓｗｏｒｄ)が含まれている。第１警報メッセージを受信した第三者は、ユーザーに直ちに電話をかけてユーザーの安全を確認し、安全確認メッセージを入力するように促し（Ｓ６）、或いは第１警報メッセージに含まれているワンタイムパスワードを用いて保安サーバー５０にログインして、保存された映像データを閲覧し（Ｓ５）、ユーザーの安全状態を確認した後、ユーザーに連絡を取って安全確認メッセージを入力するように促すことができる（Ｓ６）。図示してはいないが、第三者が映像データを閲覧し、ユーザーが危険な状態と確認した場合、警察官または保安出動サービス会社に直ちに連絡し、或いは保安サーバー５０に出動サービスを提供するように要請してもよい。第三者の連絡によって安全確認メッセージの入力を促されたユーザーがインタフェースを介して秘密鍵を入力すると、ユーザー端末機２０は、入力された秘密鍵に応じた安全確認メッセージを生成して保安サーバー５０に送信する（Ｓ７）。
【手続補正７】
【補正対象書類名】明細書
【補正対象項目名】００２１
【補正方法】変更
【補正の内容】
【００２１】
図４は本発明に係る保安サービスの提供方法における、保安サーバーで行われる手続きの一実施例を説明するフローチャートである。図４を参照すると、保安サーバー５０は、ユーザー端末機２０から送信される映像データを受信して保存し（Ｓ１０）、映像データを保存し始めた後定められた時間が経過してから、安全確認要請メッセージをユーザー端末機２０に送信する（Ｓ２０）。次に、ユーザー端末機から送信されたそれぞれの安全確認要請メッセージに応答する安全確認メッセージを定められた時間内に受信したか否かを判断し（Ｓ３０）、安全確認メッセージを受信しなかった場合、ユーザー端末機２０から保安解除メッセージを受信したか否かを判断する（Ｓ４０）。ユーザー端末機２０から安全確認メッセージと保安解除メッセージを受信しなかった場合、ユーザー指定の第三者の端末機４０または出動要員の端末機６１または出動サービスサーバー６０に、ユーザーの異常有無の確認を要請するメッセージを送信する（Ｓ５０）。ユーザー端末機２０から安全確認メッセージを受信した場合には最初の段階に戻る。ユーザーの異常有無の確認を要請するメッセージとしては、移動通信網３１のＳＭＳサーバーまたはＭＭＳサーバーを介して第三者または出動要員の所持する携帯用端末機４０、６１に送信される文字メッセージまたはマルチメディアメッセージを使用することができる。また、ユーザーの異常有無の確認を要請するメッセージとして、インターネット通信網３２のＷｅｂサーバーを介して送信され、第三者のパーソナルコンピュータ４１を用いて確認することが可能な電子郵便を使用することもできる。保安サーバー５０は、ユーザー端末機２０から保安解除メッセージを受信するまで上述の手続きを続けて繰り返し行う。
【手続補正８】
【補正対象書類名】明細書
【補正対象項目名】００２３
【補正方法】変更
【補正の内容】
【００２３】
図５は本発明に係る保安サービスの提供方法における、映像データを受信して保存する段階をより具体的に説明するフローチャートである。図５を参照すると、ユーザー端末機２０から保存要請メッセージを受信し（Ｓ１１）、受信した保存要請メッセージから、ユーザーを識別することが可能なユーザーＩＤを抽出する（Ｓ１２）。ユーザーＩＤは、ユーザーが保安サーバー５０に会員加入したときにユーザー端末機２０に割り当てられたシリアル番号、ユーザー端末機２０の電子識別番号（Ｅｌｅｃｔｒｏｎｉｃ Ｓｅｒｉａｌ Ｎｕｍｂｅｒ、ＥＳＮ）などが使用でき、本発明が適用される分野によって異なる種類のユーザーＩＤが使用できる。抽出したユーザーＩＤに基づいて、保安サーバー５０はユーザーの映像データを保存するための初期化を行う（Ｓ１３）。保安サーバー５０は、内部のデータベースからユーザーに対するデータベースを抽出し、抽出したユーザーデータベースに基づいて受信した映像データを保存するための保存空間を割り当てる。初期化が完成すると、ユーザー端末機２０に映像データを送信しなさいという指令の保存待機メッセージを送信する（Ｓ１４）。ユーザー端末機２０が映像待機メッセージに応答して、撮影した映像データーを送信すると、保安サーバー５０はユーザー端末機２０から映像データを受信し（Ｓ１５）、受信した映像データを割り当てられた保存空間に保存する（Ｓ１６）。
【手続補正９】
【補正対象書類名】明細書
【補正対象項目名】００２５
【補正方法】変更
【補正の内容】
【００２５】
一方、送信した第１警報メッセージに応答する安全確認メッセージまたは保安解除メッセージを、定められた時間以内にユーザー端末機２０から受信しなかった場合、ユーザーの所在地に直接出動してユーザーの安全有無を確認する出動要員を選択し（Ｓ５４）、選択した出動要員の端末機にユーザーの所在地へ出動するように指令するための第２警報メッセージを送信する（Ｓ５５）。第２警報メッセージに応答する出動確認メッセージを出動要員から受信したかを判断する（Ｓ５６）。出動確認メッセージを受信しなかった場合、選択した出動要員の端末機に周期的に第２警報メッセージを送信する。
【国際調査報告】
2010527091.tif 000012
2010527091.tif 000013